(57)【要約】【課題】表示画面全体に配置された対向対電極間に同じ大きさの電圧を印加しても、表示画面全体での表示書換えがスムーズに行えるエリアカラー表示方式の情報表示用パネルを提供する。【解決手段】同種類の表示媒体が配置されたセルを集めて１表示エリアを形成し、別の同種類の表示媒体が配置されたセルを集めて別の１表示エリアを形成するようにして、表示エリア全体に対して、同種類の表示媒体が配置されたセルを集めた、互いに異なる表示を行う表示エリアを２エリア以上形成し、組み合せて配置された表示媒体を反転駆動させるのに適正な大きさの電界を、エリアごとに付与できるよう構成する。【選択図】図７
2010026370.tif 000002
【特許請求の範囲】
【請求項１】
帯電性粒子を含んだ粒子群として構成した、互いに光学的反射率および帯電特性が異なる少なくとも２種類の表示媒体を、パネル基板間に隔壁で囲んで形成した複数のセルのそれぞれに配置し、２枚のパネル基板の双方に設けた電極が互いに対向して形成する対電極間に形成した電界で反転駆動させて画像等の情報表示を行う方式の情報表示用パネルであって、
前記複数のセルのうち同種類の表示媒体が配置されたセルを集めて１表示エリアを形成し、別の同種類の表示媒体が配置されたセルを集めて別の１表示エリアを形成するようにして、表示エリア全体に対して、同種類の表示媒体が配置されたセルを集めた、互いに異なる表示を行う表示エリアを２エリア以上形成し、組み合せて配置された表示媒体を反転駆動させるのに適正な大きさの電界を、エリアごとに付与できるように構成したことを特徴とするエリアカラー表示方式の情報表示用パネル。
【請求項２】
対向対電極間距離が、表示エリアごとに、その表示エリアにあるセルに組み合せて配置された表示媒体を反転駆動させるのに適正な大きさの電界を付与できるような適正距離に構成されるようにしたことを特徴とする請求項１に記載のエリアカラー表示方式の情報表示用パネル。
【請求項３】
少なくとも一方のパネル基板の各表示エリアに対応した位置に段差を形成し、２枚のパネル基板を重ね合わせたときに、対向対電極間距離が、表示エリアごとに、その表示エリアにあるセルに組み合せて配置された表示媒体を反転駆動させるのに適正な大きさの電界を付与できるような適正距離に構成されるようにしたことを特徴とする請求項２に記載のエリアカラー表示方式の情報表示用パネル。
【請求項４】
背面側パネル基板の各表示エリアの境界に対応した位置に段差を形成し、２枚のパネル基板を重ね合わせたときに、対向対電極間距離が、表示エリアごとに、その表示エリアにあるセルに組み合せて配置された表示媒体を反転駆動させるのに適正な大きさの電界を付与できるような適正距離に構成されるようにしたことを特徴とする請求項３に記載のエリアカラー表示方式の情報表示用パネル。
【請求項５】
背面側パネル基板をプラスチックシート基板とし、背面側パネル基板の各表示エリアの境界に対応した位置に段差を形成し、２枚のパネル基板を重ね合わせたときに、対向対電極間距離が、表示エリアごとに、その表示エリアにあるセルに組み合せて配置された表示媒体を反転駆動させるのに適正な大きさの電界を付与できるような適正距離に構成されるようにしたことを特徴とする請求項４に記載のエリアカラー表示方式の情報表示用パネル。
【請求項６】
各表示エリアの境界には、セル形成とパネル基板間ギャップ確保との両機能を担う隔壁として境界隔壁を形成し、各表示エリアの内側には、セル形成とパネル基板間ギャップ確保の両機能を担う隔壁としての基板間ギャップ確保用隔壁およびセル形成用隔壁を形成するとともに、前記各隔壁の幅の関係が、境界隔壁の幅＞基板間ギャップ確保用隔壁の幅＞セル形成用隔壁、としたことを特徴とする請求項１〜５のいずれか１項に記載のエリアカラー表示方式の情報表示用パネル。
【請求項７】
境界隔壁の幅を５０μｍ〜２００μｍの範囲とし、各表示エリアの内側に配置する基板間ギャップ確保用隔壁の幅を２０μｍ〜１００μｍの範囲とし、各表示エリアの内側に配置するセル形成用隔壁の幅を５μｍ〜３０μｍの範囲としたことを特徴とする請求項６に記載のエリアカラー表示方式の情報表示用パネル。
【発明の詳細な説明】
【技術分野】
【０００１】
本発明は、帯電性粒子を含んだ粒子群として構成した、互いに光学的反射率および帯電特性が異なる少なくとも２種類の表示媒体を、パネル基板間に隔壁で囲んで形成した複数のセルのそれぞれに配置し、２枚のパネル基板の双方に設けた電極が互いに対向して形成する対電極間に形成した電界で反転駆動させて画像等の情報表示を行う方式の情報表示用パネルであって、前記複数のセルのうち同種類の表示媒体が配置されたセルを集めて１表示エリアを形成し、別の同種類の表示媒体が配置されたセルを集めて別の１表示エリアを形成するようにして、表示エリア全体に対して、同種類の表示媒体が配置されたセルを集めた、互いに異なる表示を行う表示エリアを２エリア以上形成し、エリアごとに別種のカラー表示を行うエリアカラー表示方式の情報表示用パネルに関し、特に、ドットマトリックス表示方式でエリア別カラー表示を行うエリアカラー表示方式の情報表示用パネルに関するものである。
【背景技術】
【０００２】
帯電性粒子を含んだ粒子群を表示媒体として駆動させる帯電粒子移動型表示パネルとして、パネル基板間を隔壁で仕切って構成し、その隔壁で囲まれた小部屋（セル）内に、少なくとも光学的反射率および帯電性を有する粒子を含んだ粒子群として構成した、少なくとも光学的反射率および帯電特性が互いに異なる、少なくとも２種類の表示媒体を封入し、基板に設けた対電極間に電界を形成して表示媒体を移動させて画像等の情報を表示する表示パネルが知られている。
【０００３】
少なくとも光学的反射率および帯電性を有する粒子を含んだ粒子群として構成した、少なくとも光学的反射率および帯電特性が互いに異なる、少なくとも２種類の表示媒体として、色と帯電極性とが異なる２種類の表示媒体粒子群の組み合せを１つのセル内に配置し、また、色と帯電極性とが異なる別の２種類の表示媒体である粒子群の組み合せを別の１つのセル内に封入し、互いに別の表示媒体である粒子群の組み合せが配置されてなるセルは別々のセル群として集めて、表示画面を複数に分割した領域（エリア）ごとに配置してエリアカラー表示を行う方式の情報表示用パネルも知られている（例えば、特許文献１参照）。
【０００４】
【特許文献１】特開２００５−３０１０３０号公報
【発明の開示】
【発明が解決しようとする課題】
【０００５】
少なくとも光学的反射率および帯電性を有する粒子を含んだ粒子群として構成した、少なくとも光学的反射率および帯電特性が互いに異なる、少なくとも２種類の表示媒体として、色と帯電極性とが異なる２種類の表示媒体である粒子群の組み合せを１つのセル内に配置し、また、色と帯電極性とが異なる別の２種類の表示媒体である粒子群の組み合せを別の１つのセル内に配置し、互いに別の表示媒体である粒子群の組み合せが配置されてなるセルは別々のセル群として集めて、表示画面を複数に分割した領域（エリア）ごとに配置してエリアカラー表示を行う方式の情報表示用パネルでは、すべてのセル群は等間隔で対向した２枚のパネル基板間に、いいかえれば、等間隔で対向した対電極間に、配置されるため、パネル基板に設けた電極が対向して形成する対電極に電圧を印加することによって形成する電界は、印加電圧が同じ大きさであれば同じ大きさとなる。従って、これまでのエリアカラー表示方式の情報表示用パネルにおいてはどのセルに対しても同じ大きさの電界を付与してセル内の表示媒体を駆動していた。
【０００６】
図１１（ａ）、（ｂ）および図１２（ａ）、（ｂ）はそれぞれ従来のエリアカラー表示方式の情報表示用パネルの一例を説明するための図である。図１１（ａ）および図１２（ａ）に示す例では、黒／白表示エリアと赤／白表示エリアとを用いてエリアカラー表示を行い、図１１（ｂ）および図１２（ｂ）に示す例では、黒／黄表示エリアと黒／白表示エリアとを用いてエリアカラー表示を行っている。図１１にはライン電極を対向直交交差させて形成した対電極を用いてパッシブ駆動でドットマトリックス表示を行うものを示し、図１２には共通電極とＴＦＴ付き画素電極を対向配置した対電極を用いてアクティブ駆動でドットマトリックス表示を行うものと示している。図１１（ａ）、（ｂ）および図１２（ａ）、（ｂ）に示す例では、表示エリアが異なっていても、パネル基板５１と５２との間隔、言い換えると、パネル基板５１に設けた電極５５とパネル基板５２に設けた電極５６との間隔は、隔壁５４により等間隔となっている。
【０００７】
しかるに、色と帯電性とを有する粒子を含んだ粒子群（言い換えれば表示媒体）ごとにその駆動性は異なり、さらに、互いに色と帯電極性とが異なる表示媒体の組み合せごとにも異なる。つまり、ある組み合せにおいては駆動しやすい電界の大きさであっても、別の表示媒体の組み合せにおいては駆動しやすい電界の大きさではないことがあり、すべてのセルに同じ大きさの電界を付与する方法では、粒子群（言い換えれば表示媒体）が駆動しにくい領域（エリア）が出来てしまう不具合があった。
【０００８】
また、分割された各領域（エリア）に配置されたセルごとに印加する電圧の大きさを変えて、セルごとに電界の大きさを適正にする方法が考えられるが、この方法は、セグメント駆動方式の情報表示用パネルやアクティブマトリックス駆動方式の情報表示用パネルには適用できるが、パッシブマトリックス駆動方式の情報表示用パネルには適用できなかった。さらにまた、この方法をセグメント駆動方式の情報表示用パネルやアクティブマトリックス駆動方式の情報表示用パネルに適用した場合にも、印加する電圧の大きさをセルごとに調整する機能を付加しなければならず、安価なエリアカラー表示方式の情報表示用パネルは得られていなかった。
【０００９】
本発明の目的は上述した問題点を解消して、表示画面全体に配置された対向対電極間に同じ大きさの電圧を印加しても、セル内に配置された２種類の表示媒体の組み合せに適した大きさの電界を付与できるようになり、表示画面全体で表示媒体の駆動性が良好になり、表示画面全体での表示書換えがスムーズに行えるエリアカラー表示方式の情報表示用パネルを提供しようとするものである。
【課題を解決するための手段】
【００１０】
本発明のエリアカラー表示方式の情報表示用パネルは、帯電性粒子を含んだ粒子群として構成した、互いに光学的反射率および帯電特性が異なる少なくとも２種類の表示媒体を、パネル基板間に隔壁で囲んで形成した複数のセルのそれぞれに配置し、２枚のパネル基板の双方に設けた電極が互いに対向して形成する対電極間に形成した電界で反転駆動させて画像等の情報表示を行う方式の情報表示用パネルであって、前記複数のセルのうち同種類の表示媒体が配置されたセルを集めて１表示エリアを形成し、別の同種類の表示媒体が配置されたセルを集めて別の１表示エリアを形成するようにして、表示エリア全体に対して、同種類の表示媒体が配置されたセルを集めた、互いに異なる表示を行う表示エリアを２エリア以上形成し、組み合せて配置された表示媒体を反転駆動させるのに適正な大きさの電界を、エリアごとに付与できるように構成したことを特徴とするものである。
【００１１】
また、本発明のエリアカラー表示方式の情報表示用パネルの好適例としては、対向対電極間距離が、表示エリアごとに、その表示エリアにあるセルに組み合せて配置された表示媒体を反転駆動させるのに適正な大きさの電界を付与できるような適正距離に構成されるようにしたこと、少なくとも一方のパネル基板の各表示エリアの境界に対応した位置に段差を形成し、２枚のパネル基板を重ね合わせたときに、対向対電極間距離が、表示エリアごとに、その表示エリアにあるセルに組み合せて配置された表示媒体を反転駆動させるのに適正な大きさの電界を付与できるような適正距離に構成されるようにしたこと、背面側パネル基板の各表示エリアの境界に対応した位置に段差を形成し、２枚のパネル基板を重ね合わせたときに、対向対電極間距離が、表示エリアごとに、その表示エリアにあるセルに組み合せて配置された表示媒体を反転駆動させるのに適正な大きさの電界を付与できるような適正距離に構成されるようにしたこと、背面側パネル基板をプラスチックシート基板とし、背面側パネル基板の各表示エリアの境界に対応した位置に段差を形成し、２枚のパネル基板を重ね合わせたときに、対向対電極間距離が、表示エリアごとに、その表示エリアにあるセルに組み合せて配置された表示媒体を反転駆動させるのに適正な大きさの電界を付与できるような適正距離に構成されるようにしたこと、各表示エリアの境界には、セル形成とパネル基板間ギャップ確保との両機能を担う隔壁として境界隔壁を形成し、各表示エリアの内側には、セル形成とパネル基板間ギャップ確保の両機能を担う隔壁としての基板間ギャップ確保用隔壁およびセル形成用隔壁を形成するとともに、前記各隔壁の幅の関係が、境界隔壁の幅＞基板間ギャップ確保用隔壁の幅＞セル形成用隔壁、としたこと、境界隔壁の幅を５０μｍ〜２００μｍの範囲とし、各表示エリアの内側に配置する基板間ギャップ確保用隔壁の幅を２０μｍ〜１００μｍの範囲とし、各表示エリアの内側に配置するセル形成用隔壁の幅を５μｍ〜３０μｍの範囲としたこと、がある。
【発明の効果】
【００１２】
本発明では、帯電性粒子を含んだ粒子群として構成した、互いに光学的反射率および帯電特性が異なる少なくとも２種類の表示媒体を、パネル基板間に隔壁で囲んで形成した複数のセルのそれぞれに配置し、２枚のパネル基板の双方に設けた電極が互いに対向して形成する対電極間に形成した電界で反転駆動させて画像等の情報表示を行う方式の情報表示用パネルであって、前記複数のセルのうち同種類の表示媒体が配置されたセルを集めて１表示エリアを形成し、別の同種類の表示媒体が配置されたセルを集めて別の１表示エリアを形成するようにして、表示エリア全体に対して、同種類の表示媒体が配置されたセルを集めた、互いに異なる表示を行う表示エリアを２エリア以上形成し、組み合せて配置された表示媒体を反転駆動させるのに適正な大きさの電界を、エリアごとに付与できるように構成したので、表示画面全体に配置された対電極間に同じ大きさの電圧を印加しても、セル内に封入された２種類の表示媒体の組み合せに適した大きさの電界が付与されるようになり、表示画面全体で表示媒体の駆動性が良好になり、表示画面全体での表示書換えがスムーズに行えるエリアカラー表示方式の情報表示用パネルを得ることができる。
【００１３】
また、表示画面全体に配置された対電極間に同じ大きさの電圧を印加しても、セル内に配置された２種類の表示媒体の組み合せに適した大きさの電界が付与されるようになるので、パッシブマトリックス駆動方式やアクティブ駆動方式を用いたドットマトリックス型のエリアカラー表示方式表示パネルにおいても表示画面全体で表示媒体の駆動性を良好にすることができるようになり、セルごとの表示品質が向上し、表示画面全体、表示領域（エリア）内での表示むらがなくなった。
【発明を実施するための最良の形態】
【００１４】
まず、本発明のエリアカラー表示方式の情報表示用パネルで用いる情報表示用パネルの一例について説明する。本発明のエリアカラー表示方式の情報表示用パネルで用いる情報表示用パネルの一例では、対向する２枚の基板間の空間に封入した光学的反射率を有する帯電性粒子を含んだ粒子群として構成された表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１５】
本発明のエリアカラー表示方式の情報表示用パネルで用いる情報表示用パネルの例を、図１（ａ）、（ｂ）〜図４に基づき説明する。
【００１６】
図１（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ付き画素電極）と基板２に設けた電極６（共通電極）との間に電圧を印加することにより発生する電界に応じて、基板１、２と垂直に移動させる。そして、図１（ａ）に示すように白色表示媒体３Ｗを観察者に視認させて白色の表示（白色３ドット）を行うか、あるいは、図１（ｂ）に示すように黒色表示媒体３Ｂを観察者に視認させて黒色の表示（黒色３ドット）を行っている。なお、図１（ａ）、（ｂ）において、手前にある隔壁は省略している。
【００１７】
図２（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ライン電極）と基板２に設けた電極６（ライン電極）とが対向直交交差して形成する画素電極対の間に電圧を印加することにより発生する電界に応じて、基板１、２と垂直に移動させる。そして、図２（ａ）に示すように白色表示媒体３Ｗを観察者に視認させて白色の表示（白色３ドット）を行うか、あるいは、図２（ｂ）に示すように黒色表示媒体３Ｂを観察者に視認させて黒色の表示（黒色３ドット）を行っている。なお、図２（ａ）、（ｂ）において、手前にある隔壁は省略している。
【００１８】
図３（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（セグメント電極）と基板２に設けた電極６（セグメント電極）との間に電圧を印加することにより発生する電界に応じて、基板１、２と垂直に移動させる。そして、図３（ａ）に示すように白色表示媒体３Ｗを観察者に視認させて白色セグメント表示を行い、図３（ｂ）に示すように黒色表示媒体３Ｂを観察者に視認させて黒色セグメント表示を行っている。なお、図３（ａ）、（ｂ）において、手前にある隔壁は省略している。
【００１９】
図４に示す例では、図１（ａ）、（ｂ）に示す例と同様に、ＴＦＴ付き画素電極５と共通電極６とを用いて白黒表示を行う他の例を説明している。図４に示す例では、図１（ａ）、（ｂ）で示す負帯電性白色粒子を含んだ粒子群として構成した白色表示媒体３Ｗと正帯電性黒色粒子を含んだ粒子群として構成した黒色表示媒体３Ｂとを充填した隔壁４で形成されたセルの代わりに、負帯電性白色粒子を含んだ粒子群として構成した白色表示媒体３Ｗと正帯電性黒色粒子を含んだ粒子群として構成した黒色表示媒体３Ｂとを絶縁液体８とともに内部に充填したマイクロカプセル９を用いている。
【００２０】
次に、本発明の対象となるエリアカラー表示方式について、図５（ａ）、（ｂ）〜図６（ａ）、（ｂ）に基づき説明する。
【００２１】
図５（ａ）、（ｂ）に示す例は、表示面側パネル基板および背面側パネル基板の両者に互いに直交するライン電極５、６を形成し、対向電極対で１画素（１ピクセル）を構成するパッシブマトリックス駆動方式の例を示している。図５（ａ）、（ｂ）に示す例では、１画素を構成するセル内に２種類の表示媒体を配置し、１画素ごとに２種類の表示媒体の色の表示を可能とする。図５（ａ）に示す画素（ピクセル）の配置において、図５（ｂ）に示すように、別種のカラー表示部分となる表示領域１と表示領域２とを規定し、異なる２種類の色の表示媒体を組み合せて表示領域１と表示領域２とにそれぞれ配置する。これにより、表示領域１と表示領域２とに別色のカラー表示を可能とさせることで、パッシブ駆動でドットマトリックス表示方式のエリアカラー表示を行っている。例えば、表示領域１に白色表示媒体と赤色表示媒体との組を配置して白赤ドットマトリックス表示を行い、表示領域２に白色表示媒体と黒色表示媒体との組を配置して白黒ドットマトリックス表示を行っている。
【００２２】
図６（ａ）、（ｂ）に示す例は、パネルの表示面側にべた導電膜からなる共通電極６を形成するとともにパネルの背面側に画素電極５および薄膜トランジスタ（ＴＦＴ）によるスイッチを配置し、画素電極とＴＦＴとの１対が１画素（１ピクセル）を構成するアクティブマトリックス駆動方式の例を示している。なお、ＴＦＴにはＴＦＴのスイッチングおよび電圧の供給を行うために、ゲートライン（Ｘ電極）とソースライン（Ｙ電極）とを配置している。図６（ａ）、（ｂ）に示す例では、１画素を構成するセル内に２種類の表示媒体を封入し、１画素ごとに２種類の表示媒体の色の表示を可能とする。図６（ａ）に示す画素（ピクセル）の配置において、図６（ｂ）に示すように、別種のカラー表示部分となる表示領域１と表示領域２とを規定し、異なる２種類の色の表示媒体を組み合せて表示領域１と表示領域２とにそれぞれ配置する。これにより、表示領域１と表示領域２とに別色のカラー表示を可能とさせることで、アクティブ駆動でドットマトリックス方式のエリアカラー表示を行っている。例えば、表示領域１に黄色表示媒体と赤色表示媒体との組を配置して黄赤ドットマトリックス表示を行い、表示領域２に黄色表示媒体と黒色表示媒体との組を配置して黄黒ドットマトリックス表示を行っている。
【００２３】
本発明のエリアカラー表示方式の情報表示用パネルの特徴は、上述した構成のエリアカラー表示方式の情報表示用パネルにおいて、エリアごとに、組み合せて配置された表示媒体の駆動に適正な大きさの電界が付与できるよう構成した点にある。
【００２４】
具体的には、表示画面を複数に分割した領域（エリア）ごとに対向対電極間距離を、いいかえれば、パネル基板間ギャップを、その領域（エリア）に配置されたセル内に配置された表示媒体の組み合せに対して適正な大きさの電界が付与されるような適正ギャップとする。パネル基板に設けた電極が対向して形成する対電極に電圧を印加することによって形成する電界の大きさは、印加する電圧の大きさが同じであっても、電極間距離を変えることによって変えることができる。これによって、表示画面全体に同じ大きさの電圧を印加しても、領域（エリア）ごとに、その領域に配置されたセル内に配置された表示媒体の組み合せに対して適正な大きさの電界が付与できるようになる。
【００２５】
ここで、表示画面を複数に分割した領域（エリア）ごとに対向対電極間距離を、いいかえれば、パネル基板間ギャップを適正ギャップとするために、少なくとも一方のパネル基板の各表示エリアの境界に対応した位置に段差を形成し、２枚のパネル基板を重ね合わせたときに、対向対電極間距離が、表示エリアごとに、その表示エリアにあるセルに組み合せて配置された表示媒体を反転駆動させるのに適正な大きさの電界を付与できるような適正距離に構成されるようにしたり、背面側パネル基板の各表示エリアの境界に対応した位置に段差を形成し、２枚のパネル基板を重ね合わせたときに、対向対電極間距離が、表示エリアごとに、その表示エリアにあるセルに組み合わせて配置された表示媒体を反転駆動させるのに適正な大きさの電界を付与できるような適正距離に構成されるようにしたりすることが好ましい。
【００２６】
段差構造とするのは背面側のパネル基板とすることが好ましい。背面側のパネル基板をプラスチックシート基板とすることで、折り曲げ加工やプレス加工によって容易に段差を形成することができる。
【００２７】
段差構造とするパネル基板に設ける電極をライン状電極とする場合、電極材料は金属などの可とう性材料であることが好ましい。ライン状電極を金属などの可とう性材料とすることで、折り曲げ加工やプレス加工によって段差を形成するとき、パネル基板に配置済みのライン状電極を破損したり、断線したりすることなく段差を形成することができる。
【００２８】
段差構造を有するパネル基板を、ガラスなどの可とう性のない材料で形成する場合は、研削加工や貼り合わせ積層加工などによって段差構造を有するパネル基板とし、パネル基板の段差が形成された側の面に電極を設ける。もちろん、この方法は、樹脂などの可とう性材料で形成したパネル基板に対して用いることもでき、その場合には、折り曲げ加工やプレス加工によって段差を形成した後に電極形成するので、可とう性のない電極材料でライン状電極を形成することもできる。
【００２９】
パネル基板間に設ける隔壁には、パネル基板間ギャップ確保機能を担う基板間ギャップ確保用隔壁と、表示媒体である粒子群がパネル基板と平行な方向に移動することを抑制する機能を担うセル形成用隔壁とがあり、基板間ギャップ確保用隔壁の幅は、２０μｍ〜１００μｍの範囲が好ましく、セル形成用隔壁の幅は、５μｍ〜３０μｍの範囲で、できるだけ細くすることが好ましい。また、セル形成用隔壁は基板間ギャップ確保用隔壁の高さよりも低くしてもよく、表示媒体である粒子群がパネル基板と平行な方向に移動することを抑制する機能を損なわない範囲とする。さらにまた、セル形成用隔壁は双方のパネル基板の対向位置に形成し、パネル基板を貼り合わせたときに対向する構成としてもよく、この場合、対向部分を接合してもよいし接合しなくてもよい。
【００３０】
また、各表示エリアの境界には、セル形成とパネル基板間ギャップ確保との両機能を担う隔壁として境界隔壁を形成し、各表示エリアの内側には、セル形成とパネル基板間ギャップ確保との両機能を担う基板間ギャップ確保用隔壁およびセル形成の機能のみを担うセル形成用隔壁を形成するとともに、各隔壁の幅の関係が、境界隔壁の幅＞基板間ギャップ確保用隔壁の幅＞セル形成用隔壁の幅、とするのが好ましい。境界隔壁の幅を５０μｍ〜２００μｍの範囲で太くすることで、表示エリアの境界が明確になるとともに、パネル基板との貼り合わせに用いる接着剤を幅広く配置してしっかりと接合できるようになる。また、各表示エリアの内側に配置する基板間ギャップ確保用隔壁の幅を２０μｍ〜１００μｍの範囲とし、各表示エリアの内側に配置するセル形成用隔壁の幅を５μｍ〜３０μｍの範囲とすることも好ましい。基板間ギャップ確保用隔壁は非表示部分となるためできるだけ隔壁の幅は狭くしたいが、パネル基板間ギャップを確保するために基板を支えるだけの強度が必要であり、それに応えられるのが前記範囲となる。セル形成用隔壁は基板を支える必要がないので細くすることができ、実際に作製できる幅の範囲が前記範囲となる。
【００３１】
基板間ギャップ確保用隔壁の形状や配置は画素形状および画素配置に合わせるが、セル形成用隔壁の形状や配置は自由に設計できる。配置としては、格子状、ハニカム状、網目状などがあり、セルの横断面形状としては、四角形、三角形、六角形等の多角形や、円形、楕円形、レーストラック形等いずれでも良いし、複数の形状を組み合せても良い。表示部の開口率を大きくできる点からは四角形や六角形が好ましく、表示媒体を構成する粒子を移動しやすくできる点からは曲線を有する形状が好ましい。前記二つの点から角丸付きの四角形や角丸付きの六角形が好ましく用いられる。
【００３２】
次に、本発明のエリアカラー表示方式の情報表示用パネルにおけるパネル構造について説明する。図７（ａ）、（ｂ）〜図１０（ａ）、（ｂ）はそれぞれ本発明のエリアカラー表示方式の情報表示用パネルの一例を説明するための図である。
【００３３】
図７（ａ）、（ｂ）に示す例では、表示面側の透明パネル基板２上に設けた透明ライン電極６と背面側の可とう性パネル基板１上に設けた可とう性ライン電極５とから構成される、パッシブ駆動でドットマトリックス表示方式の情報表示用パネルを示しており、背面側の可とう性パネル基板１を折り曲げ加工して、表示面側の透明パネル基板２と貼り合わせて、段差構造を有するエリアカラー表示方式の情報表示用パネルを構成している。この構成では、背面側のライン電極５は金属などの可とう性材料とする。また、パネル基板１、２間のギャップを保持するために、基板間ギャップ確保用隔壁４−１を設けるとともに、表示媒体の基板に平行な方向への移動を抑制するために、セル形成用隔壁４−２を設けている。
【００３４】
図７（ａ）に示す例では、正帯電性黒色粒子３Ｂａを含んだ粒子群として構成した黒色表示媒体３Ｂと、正帯電性赤色粒子３Ｒａを含んだ粒子群として構成した赤色表示媒体３Ｒと、負帯電性白色粒子３Ｗａを含んだ粒子群として構成した白色表示媒体３Ｗとを使用し、黒／白表示エリアと赤／白表示エリアとを用いてエリアカラー表示を行い、エリアごとにパネル基板間ギャップ（いいかえれば、対向対電極間距離）が異なる例を示している。本例では、白色表示媒体３Ｗおよび黒色表示媒体３Ｂの組み合せと白色表示媒体３Ｗおよび赤色表示媒体３Ｒの組み合せとの各組み合せにおいて、粒子群としての移動性の差を予め求めることで、求めた結果に応じて、黒／白表示エリアのパネル基板間間隔を赤／白表示エリアのパネル基板間間隔よりも広くなるよう構成している。これにより、同じ電圧で表示媒体を駆動させたとき、それぞれのエリアでの駆動に最適な電界をそれぞれの表示エリアで発生させることができる。
【００３５】
また、図７（ｂ）に示す例では、正帯電性黒色粒子３Ｂａを含んだ黒色表示媒体３Ｂと、負帯電性黄色粒子３Ｙａを含んだ粒子群として構成した黄色表示媒体３Ｙと、負帯電性白色粒子３Ｗａを含んだ粒子群として構成した白色表示媒体３Ｗとを使用し、黒／黄表示エリアと黒／白表示エリアとを用いてエリアカラー表示を行っている。本例では、黒色表示媒体３Ｂおよび黄色表示媒体３Ｙの組み合せと黒色表示媒体３Ｂおよび白色表示媒体３Ｗの組み合せとの各組み合せにおいて、粒子群としての移動性の差を予め求めることで、求めた結果に応じて、黒／黄表示エリアのパネル基板間間隔を黒／白表示エリアのパネル基板間間隔よりも広くなるよう構成している。その点以外の構成および動作は図７（ａ）に示す例と同じである。
【００３６】
図８（ａ）、（ｂ）に示す例では、表示面側の透明パネル基板２上に設けた透明べた導電膜からなる共通電極６と背面側の可とう性パネル１上に設けた画素電極５およびＴＦＴ７とから構成される、アクティブ駆動でドットマトリックス表示方式の情報表示用パネルを示しており、背面側の可とう性パネル基板１を折り曲げ加工して、表示面側の透明パネル基板２と貼り合わせて、段差構造を有するエリアカラー表示方式の情報表示用パネルを構成している。また、パネル基板１、２間のギャップを保持するために、基板間ギャップ確保用隔壁４−１を設けるとともに、表示媒体の基板に平行な方向への移動を抑制するために、セル形成用隔壁４−２を設けている。
【００３７】
図８（ａ）に示す例では、正帯電性黒色粒子３Ｂａを含んだ粒子群として構成した黒色表示媒体３Ｂと、正帯電性赤色粒子３Ｒａを含んだ粒子群として構成した赤色表示媒体３Ｒと、負帯電性白色粒子３Ｗａを含んだ粒子群として構成した白色表示媒体３Ｗとを使用し、黒／白表示エリアと赤／白表示エリアとを用いてエリアカラー表示を行い、エリアごとにパネル基板間ギャップ（いいかえれば、対向対電極間距離）が異なる例を示している。本例では、白色表示媒体３Ｗおよび黒色表示媒体３Ｂの組み合せと白色表示媒体３Ｗおよび赤色表示媒体３Ｒの組み合せとの各組み合せにおいて、粒子群としての移動性の差を予め求めることで、求めた結果に応じて、黒／白表示エリアのパネル基板間間隔を赤／白表示エリアのパネル基板間間隔よりも広くなるよう構成している。これにより、同じ電圧で表示媒体を駆動させたとき、それぞれのエリアでの駆動に最適な電界をそれぞれの表示エリアで発生させることができる。
【００３８】
また、図８（ｂ）に示す例では、正帯電性黒色粒子３Ｂａを含んだ黒色表示媒体３Ｂと、負帯電性黄色粒子３Ｙａを含んだ粒子群として構成した黄色表示媒体３Ｙと、負帯電性白色粒子３Ｗａを含んだ粒子群として構成した白色表示媒体３Ｗとを使用し、黒／黄表示エリアと黒／白表示エリアとを用いてエリアカラー表示を行っている。本例では、黄色表示媒体３Ｙおよび黒色表示媒体３Ｂの組み合せと白色表示媒体３Ｗおよび黒色表示媒体３Ｂの組み合せとの各組み合せにおいて、粒子群としての移動性の差を予め求めることで、求めた結果に応じて、黒／黄表示エリアのパネル基板間間隔を黒／白表示エリアのパネル基板間間隔よりも広くなるよう構成している。その点以外の構成および動作は図８（ａ）に示す例と同じである。
【００３９】
図９（ａ）、（ｂ）に示す例では、表示面側の透明パネル基板２上に設けた透明ライン電極６と背面側の可とう性パネル基板１上に設けた可とう性ライン電極５とから構成される、パッシブ駆動でドットマトリックス表示方式の情報表示用パネルを示しており、背面側の可とう性パネル基板１を折り曲げ加工して、表示面側の透明パネル基板２と貼り合わせて、段差構造を有するエリアカラー表示方式の情報表示用パネルを構成している。この構成では、背面側のライン電極５は金属などの可とう性材料とする。また、パネル基板１、２間のギャップを保持するために、基板間ギャップ確保用隔壁４−１を設けるとともに、表示媒体の基板に平行な方向への移動を抑制するために、セル形成用隔壁４−２を設けている。なお、同じエリア内の隔壁はセル形成用隔壁４−２であり、このセル形成用隔壁４−２の下端と背面側のパネル基板１およびライン電極５とは離れており接合しない構造となっている。
【００４０】
図９（ａ）に示す例では、正帯電性黒色粒子３Ｂａを含んだ粒子群として構成した黒色表示媒体３Ｂと、正帯電性赤色粒子３Ｒａを含んだ粒子群として構成した赤色表示媒体３Ｒと、負帯電性白色粒子３Ｗａを含んだ粒子群として構成した白色表示媒体３Ｗとを使用し、黒／白表示エリアと赤／白表示エリアとを用いたエリアカラー表示を行い、エリアごとにパネル基板間ギャップ（いいかえれば、対向対電極間距離）が異なる例を示している。本例では、白色表示媒体３Ｗおよび黒色表示媒体３Ｂの組み合せと白色表示媒体３Ｗおよび赤色表示媒体３Ｒとの各組み合せにおいて、粒子群としての移動性の差を予め求めることで、求めた結果に応じて、黒／白表示エリアのパネル基板間間隔を赤／白表示エリアのパネル基板間間隔よりも広くなるよう構成している。これにより、同じ電圧で表示媒体を駆動させたとき、それぞれのエリアでの駆動に最適な電界をそれぞれの表示エリアで発生させることができる。
【００４１】
また、図９（ｂ）に示す例では、正帯電性黒色粒子３Ｂａを含んだ黒色表示媒体３Ｂと、正帯電性赤色粒子３Ｒａを含んだ赤色表示媒体３Ｒと、負帯電性黄色粒子３Ｙａを含んだ粒子群として構成した黄色表示媒体３Ｙと、負帯電性白色粒子３Ｗａを含んだ粒子群として構成した白色表示媒体３Ｗとを使用し、黒／黄表示エリアと赤／白表示エリアとを用いてエリアカラー表示を行っている。本例では、黒色表示媒体３Ｂおよび黄色表示媒体３Ｙの組み合せと赤色表示媒体３Ｒおよび白色表示媒体３Ｗの組み合せとの各組み合せにおいて、粒子群としての移動性の差を予め求めることで、求めた結果に応じて、黒／黄表示エリアのパネル基板間間隔を赤／白表示エリアのパネル基板間間隔よりも広くなるよう構成している。これにより、同じ電圧で表示媒体を駆動させたとき、それぞれのエリアでの駆動に最適な電界をそれぞれの表示エリアで発生させることができる。その点以外の構成および動作は図９（ａ）に示す例と同じである。
【００４２】
図１０（ａ）、（ｂ）に示す例では、表示面側の透明パネル基板２上に設けた透明セグメント電極６と背面側の可とう性パネル基板１上に設けたセグメント電極５とから構成される、セグメント駆動方式の情報表示用パネルを示しており、背面側の可とう性パネル基板１を折り曲げ加工して、表示面側の透明パネル基板２と貼り合わせて、段差構造を有するエリアカラー表示方式の情報表示用パネルを構成している。この構成では、背面側のセグメント電極５は金属などの可とう性材料が好ましいが、可とう性材料でなくてもよい。また、パネル基板１、２間のギャップを保持するために、基板間ギャップ確保用隔壁４−１を設けるとともに、表示媒体の基板に平行な方向への移動を抑制するために、セル形成用隔壁４−２を設けている。
【００４３】
図１０（ａ）に示す例では、正帯電性黒色粒子３Ｂａを含んだ粒子群として構成した黒色表示媒体３Ｂと、正帯電性赤色粒子３Ｒａを含んだ粒子群として構成した赤色表示媒体３Ｒと、負帯電性白色粒子３Ｗａを含んだ粒子群として構成した白色表示媒体３Ｗとを使用し、黒／白表示エリアと赤／白表示エリアとを用いてエリアカラー表示を行い、エリアごとにパネル基板間ギャップ（いいかえれば、対向対電極間距離）が異なる例を示している。本例では、白色表示媒体３Ｗおよび黒色表示媒体３Ｂの組み合せと白色表示媒体３Ｗおよび赤色表示媒体３Ｒの組み合せとの各組み合せにおいて、粒子群としての移動性の差を予め求めることで、求めた結果に応じて、黒／白表示エリアのパネル基板間間隔を赤／白表示エリアのパネル基板間間隔よりも広くなるよう構成している。これにより、同じ電圧で表示媒体を駆動させたとき、それぞれのエリアでの駆動に最適な電界をそれぞれの表示エリアで発生させることができる。
【００４４】
また、図１０（ｂ）に示す例では、正帯電性黒色粒子３Ｂａを含んだ黒色表示媒体３Ｂと、負帯電性黄色粒子３Ｙａを含んだ粒子群として構成した黄色表示媒体３Ｙと、負帯電性白色粒子３Ｗａを含んだ粒子群として構成した白色表示媒体３Ｗとを使用し、黒／白表示エリアと黒／黄表示エリアとを用いてエリアカラー表示を行っている。本例では、黒色表示媒体３Ｂおよび白色表示媒体３Ｗの組み合せと黒色表示媒体３Ｂおよび黄色表示媒体３Ｙの組み合せとの各組み合せにおいて、粒子群としての移動性の差を予め求めることで、求めた結果に応じて、黒／白表示エリアのパネル基板間間隔を黒／黄表示エリアのパネル基板間間隔よりも広くなるよう構成している。その点以外の構成および動作は図８（ａ）に示す例と同じである。
【００４５】
図１０（ｂ）に示す例において、図７（ｂ）と同様に黒／白表示エリアと黒／黄表示エリアとを用いているのに、パネル基板間間隔の関係が図７（ｂ）に示す例と逆の関係になっているのは、黒色表示媒体３Ｂ、黄色表示媒体３Ｙ、白色表示媒体３Ｗのそれぞれの帯電特性の関係は常に一定というわけではなく、同じ色であってもその色を発現する顔料や染料の種類が異なれば、帯電特性も変化するので、図１０（ｂ）に示す例では図７（ｂ）に示す例と比べてパネル基板間距離が逆の方がパネル基板間により適正な電界を与えることができるためである。
【００４６】
なお、上述した図７（ａ）、（ｂ）〜図１０（ａ）、（ｂ）に示す例では、背面側のパネル基板２の外側表面に段差をそのまま残して形成した例を示したが、段差を何等かの材料で埋め込んで平坦な外側表面とすることができる。また、背面側のパネル基板２の厚さは一定とし、エリアごとに電極６の厚さを変えることで、対向電極間の距離を変えることもできる。さらに、背面側パネル基板２の厚さをエリアごとに変えた段差のある基板とし、段差のある側の面に電極を形成する方法で対向対電極間の距離を変えることもできる。さらにまた、１１は基板を隔壁と接合する接着剤である。
【００４７】
以下、本発明のエリアカラー表示方式の情報表示用パネルにおける各特徴部分について詳細に説明する。
【００４８】
基板間ギャップ確保用として設ける基板間ギャップ確保用隔壁や、セル形成専用のセル形成用隔壁の形成材料としては、ドライフィルムレジスト材が好適に用いられる。一例として、アルフォＮＩＴ２（ニチゴーモートン社製）やＰＤＦ３００（新日鐵化学社製）を使用することができる。形成したい隔壁部分の高さに合せた厚みのドライフィルムレジスト材をパネル基板に積層し、所定形状のフォトマスクを用いてフォトリソ法によってパターニングする。境界隔壁の幅は５０μｍ〜２００μｍの範囲とし、基板間ギャップ確保用隔壁の幅は２０μｍ〜１００μｍの範囲とし、セル形成用隔壁の幅は５μｍ〜３０μｍの範囲とし、各隔壁の幅の関係を、境界隔壁の幅＞基板間ギャップ確保用隔壁の幅＞セル形成用隔壁の幅、となるようにする。
【００４９】
対向して配置する電極の電極材料としては、透明基板側に設ける透明電極としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類が挙げられる。
【００５０】
背面側基板に設ける電極としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン等の導電性高分子類や、金、銀、銅、アルミニウム、ニッケル、クロム等の金属や、これらの金属を主成分とする合金が挙げられる。背面側基板に設ける電極は透明であってもよいし、透明でなくても良い。
【００５１】
電極の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、表示面側電極厚みは、導電性が確保でき光透過性に支障がなければ良く、０．０１〜１０μｍが好ましく、０．０５〜５μｍがより好ましい。また、背面側電極厚みは、導電性が確保できれば良く、０．０１〜１０μｍが好ましく、０．０５〜５μｍがより好ましい。
【００５２】
表示面側電極として好適な透明導電性材料は、金属材料に比べて可とう性が小さい。本発明のエリアカラー表示式の情報表示用パネルをフレキシブルパネルとし、表示面側電極をライン状電極とする場合には、透明電極材中での断線防止のため、金属細線と併用することが好ましい。この金属細線の幅は、１μｍ〜１０μｍとすれば表示視認性の妨げとならないので好ましい。背面側電極は光透過性を考慮する必要がないので電気抵抗が小さく、可とう性にも優れた前記金属材料が好適に用いられる。また、背面側電極厚みは電気抵抗および生産性、コストの観点から、０．０１〜１０μｍに設計される。
【００５３】
次に、本発明の情報表示用パネルにおいて表示媒体とする粒子群を構成する帯電性粒子（以下、粒子ともいう）について説明する。帯電性粒子だけで粒子群を構成して表示媒体としたり、その他の粒子と合わせて粒子群を構成して表示媒体としたりして用いられる。
粒子には、その主成分となる樹脂に、必要に応じて、荷電制御剤、着色剤、無機添加剤等を含ますことができる。以下に、樹脂、荷電制御剤、着色剤、その他添加剤を例示する。
【００５４】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００５５】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００５６】
着色剤としては、以下に例示するような、有機または無機の各種、各色の顔料、染料が使用可能である。
【００５７】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００５８】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００５９】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００６０】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合せて用いることができる。このうち特に黒色顔料としてカーボンブラックが、白色顔料として酸化チタンが好ましい。上記着色剤を配合して所望の色の粒子を作製できる。
【００６１】
また、粒子は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００６２】
さらに本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、表示媒体としての均一な移動が可能となる。
【００６３】
さらにまた、使用した帯電性粒子の内、最大径を有する帯電性粒子のd(0.5)に対する最小径を有する帯電性粒子のd(0.5)の比を１０以下とすることが肝要である。たとえ粒子径分布Spanを小さくしたとしても、互いに帯電特性の異なる粒子が互いに反対方向に動くので、互いの粒子サイズを同程度とし反対方向に容易に移動できるようにするのが好適であり、それがこの範囲となる。
【００６４】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００６５】
さらに、表示媒体とする粒子群を気体中空間で駆動させる情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、例えば図１（ａ）、（ｂ）〜図２（ａ）、（ｂ）において、対向する基板１、基板２に挟まれる部分から、電極５、６、表示媒体３Ｗ、３Ｂの占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００６６】
本発明の情報表示用パネルにおける基板と基板との間隔は、表示媒体が移動できて、コントラストを維持できればよいが、通常１０〜５００μｍ、好ましくは１０〜２００μｍに、さらに好ましくは１０〜１００μｍ、特に好ましくは１０〜５０μｍの範囲で、表示媒体の組み合せに応じて調整される。
対向する基板間のセル内気体中空間における表示媒体の体積占有率は５〜７０％が好ましく、さらに好ましくは５〜６０％である。７０％を超える場合には表示媒体としての移動に支障をきたし、５％未満の場合にはコントラストが不明確となり易い。
【産業上の利用可能性】
【００６７】
本発明のエリアカラー表示方式の情報表示用パネルは、エリアカラーでの表示が必要となる、ノートパソコン、電子手帳、ＰＤＡ（Personal Digital Assistants ）と呼ばれる携帯型情報機器、携帯電話、ハンディターミナル等のモバイル機器の表示部、電子書籍、電子新聞、電子マニュアル（電子取扱説明書）等の電子ペーパー、看板、ポスター、黒板やホワイトボード等の掲示板、電子卓上計算機、家電製品、自動車用品等の表示部、ポイントカード、ＩＣカード等のカード表示部、電子広告、情報ボード、電子ＰＯＰ（Point Of Presence 、Point Of Purchase advertising ）、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、外部書換え手段を用いて表示を書き換えるいわゆるリライタブルペーパーとしても好適に用いられる。
【図面の簡単な説明】
【００６８】
【図１】（ａ）、（ｂ）は本発明のエリアカラー表示方式の情報表示用パネルの原理的構成の一例を示す図である。
【図２】（ａ）、（ｂ）は本発明のエリアカラー表示方式の情報表示用パネルの原理的構成の他の例を示す図である。
【図３】（ａ）、（ｂ）は本発明のエリアカラー表示方式の情報表示用パネルの原理的構成のさらに他の例を示す図である。
【図４】本発明のエリアカラー表示方式の情報表示用パネルの原理的構成のさらに他の例を示す図である。
【図５】（ａ）、（ｂ）はそれぞれ本発明の対象となるエリアカラー表示方式の一例を説明するための図である。
【図６】（ａ）、（ｂ）はそれぞれ本発明の対象となるエリアカラー表示方式の他の例を説明するための図である。
【図７】（ａ）、（ｂ）はそれぞれ本発明のエリアカラー表示方式の情報表示用パネルにおけるパネル構造の一例を説明するための図である。
【図８】（ａ）、（ｂ）はそれぞれ本発明のエリアカラー表示方式の情報表示用パネルにおけるパネル構造の他の例を説明するための図である。
【図９】（ａ）、（ｂ）はそれぞれ本発明のエリアカラー表示方式の情報表示用パネルにおけるパネル構造のさらに他の例を説明するための図である。
【図１０】（ａ）、（ｂ）はそれぞれ本発明のエリアカラー表示方式の情報表示用パネルにおけるパネル構造のさらに他の例を説明するための図である。
【図１１】（ａ）、（ｂ）はそれぞれ従来のエリアカラー表示方式の情報表示用パネルの一例を説明するための図である。
【図１２】（ａ）、（ｂ）はそれぞれ従来のエリアカラー表示方式の情報表示用パネルの他の例を説明するための図である。
【符号の説明】
【００６９】
１、２  パネル基板
３Ｗ  白色表示媒体
３Ｂ  黒色表示媒体
３Ｒ  赤色表示媒体
３Ｙ  黄色表示媒体
３Ｗａ  負帯電性白色粒子
３Ｂａ  正帯電性黒色粒子
３Ｒａ  正帯電性赤色粒子
３Ｙａ  負帯電性黄色粒子
４  隔壁
４−１  基板間ギャップ確保用隔壁
４−２  セル形成用隔壁
５、６  電極
７  ＴＦＴ
８  絶縁液体
９  マイクロカプセル
１１  接着剤
【図１】
2010026370.tif 000003
【図２】
2010026370.tif 000004
【図３】
2010026370.tif 000005
【図４】
2010026370.tif 000006
【図５】
2010026370.tif 000007
【図６】
2010026370.tif 000008
【図７】
2010026370.tif 000009
【図８】
2010026370.tif 000010
【図９】
2010026370.tif 000011
【図１０】
2010026370.tif 000012
【図１１】
2010026370.tif 000013
【図１２】
2010026370.tif 000014